(57)【特許請求の範囲】
【請求項１】
隣り合って配置された二つの太陽電池モジュールの端部を支持する下受金具と、
前記二つの太陽電池モジュールの端部の上面にそれぞれ当接し前記下受金具とで当該二つの太陽電池モジュールの端部をそれぞれ挟持する一対の固定金具と、
前記二つの太陽電池モジュールの間に配置され、前記一対の固定金具を前記下受金具側へ移動させて当該二つの太陽電池モジュールを挟持する挟持力をそれぞれ増大させる締結部材と、
を備え、
前記一対の固定金具は、
前記締結部材を介して一方の太陽電池モジュールの上面を押圧する一方の固定金具と、
前記一方の固定金具の上に重なって前記締結部材を介して他方の太陽電池モジュールの上面を押圧すると共に、前記一方の太陽電池モジュールに対してその面方向に沿って相対的に接離可能とされた他方の固定金具と、
を有し、
前記締結部材は、前記下受金具に設けられたボルトと、前記ボルトに螺合されるナットと、を含んで構成され、
前記一対の固定金具に設けられ、前記ナットによる締付力が増大すると当該他方の固定金具と前記一方の固定金具との重なり量を減少させるスライド手段を有している太陽電池モジュール固定構造。
【請求項２】
前記固定金具は、前記太陽電池モジュールの上面を押圧する上壁部と、前記上壁部と繋がり前記二つの太陽電池モジュール間に配置される脚部と、を含んで構成され、
前記スライド手段は、前記脚部の下端に形成され前記ボルト側へ向かうにつれて前記上壁部側へ傾斜する第１傾斜面である請求項１に記載の太陽電池モジュール固定構造。
【請求項３】
前記スライド手段は、前記太陽電池モジュールの上面を押圧する上壁部の上面に形成され前記ボルト側へ向かうにつれて下方側へ向かって傾斜する第２傾斜面である請求項１又は請求項２に記載の太陽電池モジュール固定構造。
【請求項４】
前記固定金具には、前記太陽電池モジュールを接地させる突起部が設けられている請求項１〜請求項３の何れか１項に記載の太陽電池モジュール固定構造。
【請求項５】
前記下受金具の上面には、前記太陽電池モジュールの下面に食い付いて当該太陽電池モジュールの移動を規制する規制部が設けられている請求項１〜請求項４の何れか１項に記載の太陽電池モジュール固定構造。
【発明の詳細な説明】
【技術分野】
【０００１】
本発明は、太陽電池モジュール固定構造に関する。
【背景技術】
【０００２】
例えば、特許文献１に記載の発明では、太陽電池モジュールの固定金具として、長脚金具と短脚金具を備えた技術が開示されており、長脚金具と短脚金具を使い分けることによって、太陽電池モジュールの高さ方向の位置に合わせて追従可能となっている。
【先行技術文献】
【特許文献】
【０００３】
【特許文献１】特開２０１４−４７５７０号公報
【発明の概要】
【発明が解決しようとする課題】
【０００４】
一方、太陽電池モジュールは、様々な製品が市場に出回っており、その外形寸法は製品ごとに異なる。このため、製品が異なると隣り合う太陽電池モジュール間の隙間が異なることになるが、上記先行技術では、太陽電池モジュールの面方向に沿って追従することはできないため、太陽電池モジュールの製品ごとに異なる固定金具を製作する必要が生じてしまう。
【０００５】
本発明は上記事実を考慮し、太陽電池モジュールの製品が変わり、隣り合う太陽電池モジュール間の隙間寸法が変わっても当該太陽電池モジュールを固定することができる太陽電池モジュール固定構造を得ることが目的である。
【課題を解決するための手段】
【０００６】
上記目的を達成するために、第１の態様に係る太陽電池モジュール固定構造は、隣り合って配置された二つの太陽電池モジュールの端部を支持する下受金具と、前記二つの太陽電池モジュールの端部の上面にそれぞれ当接し前記下受金具とで当該二つの太陽電池モジュールの端部をそれぞれ挟持する一対の固定金具と、前記二つの太陽電池モジュールの間に配置され、前記一対の固定金具を前記下受金具側へ移動させて当該二つの太陽電池モジュールを挟持する挟持力をそれぞれ増大させる締結部材と、を備え、前記一対の固定金具は、前記締結部材を介して一方の太陽電池モジュールの上面を押圧する一方の固定金具と、前記一方の固定金具の上に重なって前記締結部材を介して他方の太陽電池モジュールの上面を押圧すると共に、前記一方の太陽電池モジュールに対してその面方向に沿って相対的に接離可能とされた他方の固定金具と、を有し、前記締結部材は、前記下受金具に設けられたボルトと、前記ボルトに螺合されるナットと、を含んで構成され、前記一対の固定金具に設けられ、前記ナットによる締付力が増大すると当該他方の固定金具と前記一方の固定金具との重なり量を減少させるスライド手段を有している。
【０００７】
第１の態様に係る太陽電池モジュール固定構造では、隣り合って配置された二つの太陽電池モジュールの端部の下面を支持する下受金具と二つの太陽電池モジュールの端部の上面にそれぞれ当接する一対の固定金具とで、当該二つの太陽電池モジュールの端部をそれぞれ挟持するようになっている。そして、当該一対の固定金具は、二つの太陽電池モジュールの間に配置された締結部材によって締め付けられることによって下受金具側へ移動し、これにより、二つの太陽電池モジュールを挟持する挟持力がそれぞれ増大する。
【０００８】
ここで、当該一対の固定金具は、一方の固定金具及び他方の固定金具を含んで構成されており、一方の固定金具は、締結部材を介して一方の太陽電池モジュールの上面を押圧するようになっている。また、他方の固定金具は、当該一方の固定金具の上に重なって当該締結部材を介して他方の太陽電池モジュールの上面を押圧するようになっており、当該他方の固定金具は、一方の太陽電池モジュールに対してその面方向に沿って相対的に接離可能とされている。
【０００９】
つまり、一対の固定金具において、一方の固定金具と他方の固定金具とで互いに重なる量を変えることができる。これにより、太陽電池モジュールの製品が変わり、隣り合う太陽電池モジュール間の隙間寸法が変わっても当該一対の固定金具により太陽電池モジュールを固定することができる。
【００１１】
また、締結部材は、下受金具に設けられたボルトと、当該ボルトに螺合されるナットと、を含んで構成されており、一対の固定金具にはスライド手段が設けられている。そして、このスライド手段は、ナットによる締結力が増大すると、当該他方の固定金具と一方の固定金具との重なり量を減少させるようになっている。
【００１２】
つまり、ボルトに対してナットを螺合させていくと、スライド手段により他方の固定金具が一方の固定金具に対して相対的に離間する方向へ移動する。これにより、一対の固定金具（一方の固定金具、他方の固定金具）は、一方の太陽電池モジュールと他方の太陽電池モジュールの隙間に合わせてそれぞれ配置されることになり、二つの太陽電池モジュールの端部をそれぞれ確実に挟持することができる。
【００１３】
第３の態様に係る太陽電池モジュール固定構造は、第２の態様に係る太陽電池モジュール固定構造において、前記固定金具は、前記太陽電池モジュールの上面を押圧する上壁部と、前記上壁部と繋がり前記二つの太陽電池モジュール間に配置される脚部と、を含んで構成され、前記スライド手段は、前記脚部の下端に形成され前記ボルト側へ向かうにつれて前記上壁部側へ傾斜する第１傾斜面である。
【００１４】
第３の態様に係る太陽電池モジュール固定構造では、固定金具は、太陽電池モジュールの上面を押圧する上壁部と、当該上壁部と繋がる脚部と、を含んで構成されており、脚部は二つの太陽電池モジュール間に配置されるようになっている。そして、スライド手段は、脚部の下端に形成された第１傾斜面であり、当該第１傾斜面は、二つの太陽電池モジュール間に配置されたボルト側へ向かうにつれて上壁部側へ傾斜している。
【００１５】
したがって、ボルトに対してナットを螺合させていくと、固定金具の脚部の第１傾斜面を介して、固定金具におけるボルト側が当該ボルトの反対側よりも下受金具側へ押圧される。これにより、他方の固定金具の上壁部と一方の固定金具の上壁部は互いに押し広げられ、結果的に他方の固定金具と一方の固定金具を互いに離間する方向へスライドさせることができる。
【００１６】
第４の態様に係る太陽電池モジュール固定構造は、第２の態様又は第３の態様に係る太陽電池モジュール固定構造において、前記スライド手段は、前記太陽電池モジュールの上面を押圧する上壁部の上面に形成され前記ボルト側へ向かうにつれて下方側へ向かって傾斜する第２傾斜面である。
【００１７】
第４の態様に係る太陽電池モジュール固定構造では、スライド手段は、固定金具の上壁部の上面に形成された第２傾斜面であり、当該第２傾斜面は、ボルト側へ向かうにつれて下方側へ向かって傾斜している。
【００１８】
したがって、ボルトに対してナットを螺合させていくと、固定金具の上壁部の第２傾斜面を介して、固定金具におけるボルト側が当該ボルトの反対側よりも下受金具側へ押圧される。これにより、他方の固定金具の上壁部と一方の固定金具の上壁部は互いに押し広げられ、結果的に他方の固定金具と一方の固定金具を互いに離間する方向へスライドさせることができる。
【００１９】
第５の態様に係る太陽電池モジュール固定構造は、第１の態様〜第４の態様の何れか１の態様に係る太陽電池モジュール固定構造において、前記固定金具には、前記太陽電池モジュールを接地させる突起部が設けられている。
【００２０】
第５の態様に係る太陽電池モジュール固定構造では、太陽電池モジュールを接地させる突起部が固定金具に設けられているため、固定金具に太陽電池モジュールを固定することによって当該太陽電池モジュールを接地させることができる。
【００２１】
第６の態様に係る太陽電池モジュール固定構造は、第１の態様〜第５の態様の何れか１の態様に係る太陽電池モジュール固定構造において、前記下受金具の上面には、前記太陽電池モジュールの下面に食い付いて当該太陽電池モジュールの移動を規制する規制部が設けられている。
【００２２】
第６の態様に係る太陽電池モジュール固定構造では、下受金具の上面には規制部が設けられており、当該規制部は、太陽電池モジュールの下面に食い付いて当該太陽電池モジュールの移動を規制するようになっているため、下受金具に対して太陽電池モジュールが移動しないようにすることができる。
【発明の効果】
【００２３】
以上説明したように、本発明に係る太陽電池モジュール固定構造は、太陽電池モジュールの製品が変わり、隣り合う太陽電池モジュール間の隙間寸法が変わっても当該太陽電池モジュールを固定することができる、という優れた効果を有する。
【図面の簡単な説明】
【００２４】
【図１】本実施形態に係る太陽電池モジュール固定構造によって複数の太陽電池モジュールが陸屋根に布設される状態を示す分解斜視図である。
【図２】本実施形態に係る太陽電池モジュール固定構造によって複数の太陽電池モジュールが固定された状態を示す平面図である。
【図３】図２に示す３−３線に沿って切断したときの断面図である。
【図４】本実施形態に係る太陽電池モジュール固定構造を示す分解斜視図である。
【図５】（Ａ）は架台にボルトが固定された状態を示す断面図であり、（Ｂ）はボルトに下受金具が取り付けられた状態を示す断面図である。
【図６】（Ａ）は下受金具に太陽電池モジュールが載置された状態を示す断面図であり、（Ｂ）は一方の太陽電池モジュールに下固定金具が取り付けられた状態を示す断面図である。
【図７】（Ａ）は他方の太陽電池モジュールに上固定金具が取り付けられた状態を示す断面図であり、（Ｂ）は二つの太陽電池モジュールが架台に固定された状態を示す断面図である。
【図８】（Ａ）、（Ｂ）は、本実施の形態に係る太陽電池モジュールの作用を説明するための平面図である。
【図９】（Ａ）、（Ｂ）は、本実施形態に係る太陽電池モジュール固定構造を構成する一対の固定金具の変形例をそれぞれ示す側面図である。
【図１０】（Ａ）、（Ｂ）は、本実施形態に係る太陽電池モジュール固定構造の上固定金具の変形例をそれぞれ示す斜視図である。
【図１１】（Ａ）は、本実施形態に係る太陽電池モジュール固定構造の下受金具の変形例を示す斜視図であり、（Ｂ）は（Ａ）の作用を説明するための断面図である。
【発明を実施するための形態】
【００２５】
以下、図面を用いて、本発明の一実施の形態に係る太陽電池モジュール固定構造について説明する。
【００２６】
図１には、本実施の形態に係る太陽電池モジュール固定構造１０によって隣り合って配置された複数の太陽電池モジュール（他方の太陽電池モジュール）１２、太陽電池モジュール（他方の太陽電池モジュール）１４が固定された状態を示す斜視図が示されている。
【００２７】
例えば、図１に示されるように、複数の太陽電池モジュール１２、１４は、架台１６を介して陸屋根１８に布設されるようになっている。なお、ここでの架台１６は、下桟３４及び上桟３２を含んで構成されている。当該上桟３２、下桟３４は、それぞれアルミニウムによる押出し材とされており、上桟３２、下桟３４の幅方向の中央部には、上桟３２、下桟３４の長手方向に沿って溝部３２Ａ、３４Ａがそれぞれ形成されている。
【００２８】
当該下桟３４は、陸屋根１８に打ち込まれたアンカーボルト３５及び専用の固定金具３６を介して陸屋根１８に固定されるようになっている。また、下桟３４には、当該下桟３４に対して直交した状態で専用の固定金具３８を介して上桟３２が固定されており、本実施形態では、当該上桟３２に太陽電池モジュール１２、１４が固定されるようになっている（後述する）。
【００２９】
なお、当該太陽電池モジュール１２、１４により発電された直流電力は、図示はしないが、パワーコンディショナに供給されるようになっている。このパワーコンディショナでは、直流電力が交流電力に変換され、当該パワーコンディショナに接続された分電盤を介して、太陽電池モジュールによって発電された電力を屋内照明機器等の一般負荷に分配すると共に、電力量計を介して商用電力系統に連系され発電された電力が電力会社へ送電されるようになっている。
【００３０】
一方、図２には、本実施の形態に係る太陽電池モジュール固定構造１０によって隣り合って配置された複数の太陽電池モジュール１２、１４が固定された状態を示す平面図が示されている。
【００３１】
図１及び図２に示されるように、太陽電池モジュール１２、１４は、平面視で略矩形状を成す太陽電池パネル２０、２２と、当該太陽電池パネル２０、２２の端部２４、２６に設けられた矩形枠状のフレーム２８、３０と、を含んでそれぞれ構成されている。また、太陽電池パネル２０、２２は、単結晶シリコン、多結晶シリコン、アモルファスシリコン、ＣＩＧＳ化合物半導体等の光発電素子によって構成されている。一方、フレーム２８、３０はアルミニウム合金によって形成されており、図３に示されるように、太陽電池パネル２０、２２の板厚方向に沿って切断したときの断面形状が、略Ｅ字状を成している。
【００３２】
当該フレーム２８、３０について具体的に説明すると、フレーム２８、３０は、その外形をそれぞれ構成し太陽電池パネル２０、２２の板厚方向に沿って配置された周壁２８Ａ、３０Ａを備えている。この周壁２８Ａ、３０Ａの上端からは、上壁２８Ｂ、３０Ｂが当該フレーム２８、３０の内側へ向かってそれぞれ張り出している。また、周壁２８Ａ、３０Ａの下端からは、下壁２８Ｃ、３０Ｃが当該フレーム２８、３０の内側へ向かってそれぞれ張り出している。さらに、上壁２８Ｂと下壁２８Ｃの間、上壁３０Ｂと下壁３０Ｃの間には、中壁２８Ｄ、３０Ｄが当該フレーム２８の内側へ向かって張り出している。
【００３３】
また、フレーム２８の上壁２８Ｂ及び中壁２８Ｄによって太陽電池パネル２０は挟持されており、フレーム３０の上壁３０Ｂ及び中壁３０Ｄによって太陽電池パネル２２は挟持されている。このため、太陽電池パネル２０の下面２０Ａ、太陽電池パネル２２の下面２２Ａは、フレーム２８の下壁２８Ｃの上面２８Ｃ１、フレーム３０の下壁３０Ｃの上面３０Ｃ１との間でそれぞれ隙間ｔ’が設けられる。これにより、太陽電池パネル２０の下面２０Ａ、太陽電池パネル２２の下面２２Ａが、直接載置面に接触しないようになっている。
【００３４】
なお、フレーム２８の上壁２８Ｂは、周壁２８Ａから離間するにつれて中壁２８Ｄ側へ近づく方向へ傾斜しており、フレーム３０の上壁３０Ｂは、周壁３０Ａから離間するにつれて中壁３０Ｄ側へ近づく方向へ傾斜している。これにより、当該上壁２８Ｂ、３０Ｂは、それぞれ弾性力を有した状態で太陽電池パネル２０の上面２０Ｂ、太陽電池パネル２２の上面２２Ｂにそれぞれ当接し、上壁２８Ｂ、３０Ｂと中壁２８Ｄ、３０Ｄとで、太陽電池パネル２０、２２の端部２４、２６をそれぞれ確実に挟持している。
【００３５】
前述したように、本実施形態では、太陽電池モジュール１２、１４は上桟３２に固定されるようになっている。このため、上桟３２の長手方向に沿った所定の位置には、溝部３４Ａ内においてボルト（締結部材の一部）４０の頭部４０Ａが挿入されており、当該ボルト４０のネジ部４０Ｂにナット４２が螺合されボルト４０が上桟３２に固定されている。
【００３６】
ここで、太陽電池モジュール１２、１４を上桟３２に固定する際に用いられる下受金具４４及び一対の固定金具４６について説明する。
【００３７】
図４には、当該下受金具４４及び一対の固定金具４６を示す分解斜視図が示されている。図３及び図４に示す下受金具４４は、鉄又はステンレス等によって形成されており、平面視で矩形状を成し、中央部には貫通孔４４Ａが形成されている。この貫通孔４４Ａを中心として下受金具４４の上面４４Ｂには、ウェルドナット４５が設けられており、当該ウェルドナット４５がボルト４０に螺合可能とされている。また、下受金具４４の長手方向の両端には、上方へ向かって略垂直に折曲されたストッパ４４Ｃ、４４Ｄがそれぞれ設けられている。そして、この下受金具４４上に一対の固定金具４６が配置されるようになっている。
【００３８】
この一対の固定金具４６は、鉄又はステンレス等によって形成されている。また、一対の固定金具４６は、下固定金具（一方の固定金具）４８と上固定金具（他方の固定金具）５０とを含んで構成されており、上固定金具５０は下固定金具４８の上にその一部が重なるようになっている。そして、下固定金具４８は、下受金具４４と共に太陽電池モジュール１４を支持可能とされており、上固定金具５０は、当該下受金具４４と共に太陽電池モジュール１２を支持可能とされている。
【００３９】
以下、上固定金具５０及び下固定金具４８の具体的な構成について説明する。
まず、下固定金具４８について説明すると、下固定金具４８は、平面視で矩形状を成す上壁部５２を備えている。この上壁部５２は下受金具４４の幅よりも大きくなるように設定されている。また、上壁部５２の上固定金具５０側の外縁部５２Ａの中央部からは、当該外縁部５２Ａと対向する外縁部５２Ｂ側へ向かって長孔状の切欠き部５２Ｃが切り欠かれている。そして、この切欠き部５２Ｃ内にはボルト４０のネジ部４０Ｂが挿通可能とされている。
【００４０】
また、上壁部５２において、切欠き部５２Ｃと平行に配置されている一対の外縁部５２Ｄからは、一対の脚部５６がそれぞれ垂下されており、当該一対の脚部５６は、平面視で下受金具４４の幅方向の外側に配置されるようになっている。さらに、上壁部５２の外縁部５２Ｂからは当接片５４が張り出しており、当該当接片５４は、上壁部５２から離間する方向へ向かうにつれて下方へ傾斜し、太陽電池モジュール１４のフレーム３０の上壁３０Ｂに当接可能とされている。
【００４１】
次に、上固定金具５０について説明すると、上固定金具５０は、下固定金具４８と同様に、平面視で矩形状を成す上壁部５８を備えている。この上壁部５８は下受金具４４の幅よりも大きくなるように設定されている。また、上壁部５８の下固定金具４８側の外縁部５８Ａの中央部からは、当該外縁部５８Ａと対向する外縁部５８Ｂ側へ向かって長孔状の切欠き部５８Ｃが切り欠かれている。
【００４２】
この切欠き部５８Ｃは、下固定金具４８の切欠き部５２Ｃと上下に重なるように形成されており、切欠き部５８Ｃ内にはボルト４０のネジ部４０Ｂが挿通可能とされている。つまり、ボルト４０を基準に下固定金具４８の切欠き部５２Ｃ及び上固定金具５０の切欠き部５８Ｃを介して、下固定金具４８と上固定金具５０は相対移動可能とされている。
【００４３】
また、上壁部５８において、切欠き部５８Ｃと平行に配置されている一対の外縁部５８Ｄからは、一対の脚部６２がそれぞれ垂下されており、当該一対の脚部６２は、平面視で下受金具４４の幅方向の外側に配置されるようになっている。さらに、上壁部５８の外縁部５８Ｂからは当接片６０が張り出しており、当該当接片６０は、上壁部５８から離間する方向へ向かうにつれて下方へ傾斜し、太陽電池モジュール１２のフレーム２８の上壁２８Ｂに当接可能とされている。
【００４４】
前述のように、上固定金具５０の一対の脚部６２、下固定金具４８の一対の脚部５６は、それぞれ平面視で下受金具４４の外側に配置されるようになっているが、ボルト４０のネジ部４０Ｂにナット４２を螺合させていくと、上固定金具５０の脚部６２の下端６２Ａ、下固定金具４８の脚部５６の下端５６Ａは、上桟３２の上面３２Ｂに当接可能とされる。これにより、太陽電池モジュール１２、１４に対して、ボルト４０とナット４２による締結力が必要以上に作用しないようにしている。
【００４５】
なお、上固定金具５０は下固定金具４８の上にその一部が重なるようになっているため、上固定金具５０の上壁部５８は、その板厚分、下固定金具４８の上壁部５２よりも上に配置されることになる。このため、上固定金具５０の当接片６０は、下固定金具４８の当接片５４よりも上壁部５８に対して傾斜する傾斜角度が大きくなっている。
【００４６】
次に、本実施の形態に係る太陽電池モジュールの固定構造における作用及び効果について説明する。
【００４７】
まず、本実施の形態に係る太陽電池モジュール１２、１４の固定手順について説明する。図１及び図５（Ａ）には、太陽電池モジュール１２、１４固定用の架台１６の上部を構成する上桟３２が図示されている。前述したように、この上桟３２の溝部３４Ａの所定の位置にボルト４０の頭部４０Ａが挿入され、ボルト４０のネジ部４０Ｂにナット４２が螺合されて当該ボルト４０が上桟３２に固定される。そして、図５（Ｂ）に示されるように、ボルト４０のネジ部４０Ｂに下受金具４４のウェルドナット４５を螺合させ、上桟３２に対して高さ方向の所定の位置に下受金具４４を配置する。
【００４８】
次に、図６（Ａ）に示されるように、ボルト４０を間において、下受金具４４の一方に太陽電池モジュール１２の端部２４（フレーム２８）を載置し、下受金具４４の他方に太陽電池モジュール１４の端部２６（フレーム３０）を載置させる。このとき、太陽電池モジュール１２のフレーム２８の下壁２８Ｃは、下受金具４４のストッパ４４Ｃの内側に配置され、太陽電池モジュール１４のフレーム３０の下壁３０Ｃは、下受金具４４のストッパ４４Ｄの内側に配置される。
【００４９】
このため、フレーム２８の下壁２８Ｃが、下受金具４４のストッパ４４Ｃに当接することによって、太陽電池モジュール１２は、ボルト４０から離間する方向への移動が規制されることになる。また、太陽電池モジュール１２と同様に、フレーム３０の下壁３０Ｃが、下受金具４４のストッパ４４Ｄに当接することによって、太陽電池モジュール１４は、ボルト４０から離間する方向への移動が規制されることになる。
【００５０】
次に、図６（Ｂ）に示されるように、ボルト４０の上方側から下固定金具４８を下受金具４４側へ移動させ、下固定金具４８の切欠き部５２Ｃにボルト４０のネジ部４０Ｂを挿入させる。そして、下固定金具４８の上壁部５２から張り出す当接片５４を太陽電池モジュール１４のフレーム３０の上壁３０Ｂに当接させる。
【００５１】
そして、図７（Ａ）に示されるように、ボルト４０の上方側から上固定金具５０を下受金具４４側へ移動させ、上固定金具５０の切欠き部５８Ｃにボルト４０のネジ部４０Ｂを挿入させる。これにより、上固定金具５０は下固定金具４８の上に重なり、上固定金具５０の上壁部５８から張り出す当接片６０を太陽電池モジュール１２のフレーム２８の上壁２８Ｂに当接させる。
【００５２】
この状態で、図７（Ｂ）に示されるように、ナット６４をボルト４０のネジ部４０Ｂに螺合させると、上固定金具５０の上壁部５８を介して下固定金具４８の上壁部５２が押圧される。これにより、下固定金具４８の当接片５４が太陽電池モジュール１４のフレーム３０の上壁３０Ｂを押圧すると共に、上固定金具５０の当接片６０が太陽電池モジュール１２のフレーム２８の上壁２８Ｂを押圧する。そして、下受金具４４と下固定金具４８とで太陽電池モジュール１４が挟持されると共に、下受金具４４と上固定金具５０とで太陽電池モジュール１２が挟持される。
【００５３】
すなわち、本実施形態では、図３及び図４に示されるように、下受金具４４と一対の固定金具４６とで、ボルト４０及びナット６４を介して、隣り合う太陽電池モジュール１２のフレーム２８、太陽電池モジュール１４のフレーム３０を挟持している。
【００５４】
さらに、本実施形態では、当該一対の固定金具４６が、下固定金具４８及び上固定金具５０を含んで構成されており、下固定金具４８には切欠き部５２Ｃが形成され、上固定金具５０には切欠き部５８Ｃが形成されている。そして、当該切欠き部５８Ｃは、切欠き部５２Ｃと上下に重なるように形成されており、ボルト４０を基準に切欠き部５２Ｃ及び切欠き部５８Ｃを介して、下固定金具４８と上固定金具５０は相対的に移動可能とされている。
【００５５】
これにより、本実施形態では、図８（Ａ）、（Ｂ）に示されるように、下固定金具４８及び上固定金具５０を介して、太陽電池モジュール１２と太陽電池モジュール１４とは、その面方向に沿って相対的に接離可能とされている。したがって、太陽電池モジュールの製品が変わり、隣り合う太陽電池モジュール１２、１４間において、隙間寸法（ｔ１、ｔ２）が変わる場合でもその寸法差を吸収することができる。
【００５６】
以上のように、本実施形態では、太陽電池モジュール１２と太陽電池モジュール１４の隙間ｔに合わせて下固定金具４８及び上固定金具５０が配置されることになり、上固定金具５０、下固定金具４８によって、太陽電池モジュール１２のフレーム２８、太陽電池モジュール１４のフレーム３０をそれぞれ確実に挟持することができる
【００５７】
また、図３及び図４に示されるように、本実施形態では、上固定金具５０の一対の脚部５６、下固定金具４８一対の脚部６２は、それぞれ平面視で下受金具４４の外側に配置されるようになっており、脚部６２の下端６２Ａ、脚部５６の下端５６Ａは、上桟３２の上面３２Ｂに当接可能とされる。換言すると、上固定金具５０、下固定金具４８は、脚部６２の下端６２Ａ、脚部５６の下端５６Ａが上桟３２の上面３２Ｂに当接するまでボルト４０とナット６４による締付けが可能である。
【００５８】
このため、ナット６４をボルト４０のネジ部４０Ｂに螺合させていくと、ナット６４を介して上固定金具５０の上壁部５８、下固定金具４８の上壁部５２は、ボルト４０側が当該ボルト４０の反対側よりも下方側へ押圧される。これにより、上固定金具５０の上壁部５８と下固定金具４８の上壁部５２は互いに押し広げられ、結果的に、上固定金具５０は太陽電池モジュール１４から離間する方向へ移動する。これにより、上固定金具５０と下固定金具４８との重なり量は減少し、太陽電池モジュール１２と太陽電池モジュール１４の隙間ｔに合わせて下固定金具４８及び上固定金具５０が配置されることになる。
【００５９】
（その他の実施形態）
さらに、本実施形態では、図９（Ａ）に示されるように、一対の固定金具４６における下固定金具４８の脚部５６の下端５６Ａ、上固定金具５０の脚部６２の下端６２Ａにおいて、下受金具４４（図３参照）のボルト４０（図３参照）側へ向かうにつれて上方側へ向かって傾斜する傾斜面（第１傾斜面）６６、６８がそれぞれ形成されてもよい。
【００６０】
この場合、ナット６４（図３参照）をボルト４０のネジ部４０Ｂに螺合させると、図９（Ａ）に示す固定金具４６の脚部５６の下端５６Ａ、脚部６２の下端６２Ａが、上桟３２（図３参照）の上面３２Ｂ（図３参照）に当接する。この状態からさらにナット６４を締め付けると、当該脚部５６、６２の傾斜面６６、６８を介して、当該固定金具４６におけるボルト４０側が当該ボルト４０の反対側よりも下受金具４４側へ押圧される。これにより、下固定金具４８の上壁部５２と上固定金具５０の上壁部５８は互いに押し広げられ、結果的に下固定金具４８と上固定金具５０を互いに離間する方向へスライドさせることができる。
【００６１】
また、これ以外にも、図９（Ｂ）に示されるように、一対の固定金具４６における下固定金具４８の上壁部５２、上固定金具５０の上壁部５８において、下受金具４４（図３参照）のボルト４０側へ向かうにつれて上方側へ向かって傾斜する傾斜面（第２傾斜面）７０、７２がそれぞれ形成されてもよい。この場合、固定金具４６の脚部５６の下端５６Ａ、脚部６２の下端６２Ａが、上桟３２（図３参照）の上面３２Ｂ（図３参照）に当接しなくてもよい。下固定金具４８の上壁部５２と上固定金具５０の上壁部５８を互いに押し広げることができる。なお、当該第１傾斜面、第２傾斜面は、上固定金具５０側のみに形成されてもよい。
【００６２】
さらに、図１０（Ａ）、（Ｂ）に示されるように、上固定金具５０に太陽電池モジュール１２を接地させる突起部７４、７６が形成されてもよい。例えば、図１０（Ａ）では、上固定金具５０の当接片６０の先端の両端の下部に突起部７４がそれぞれ設けられている。図３に示されるように、上固定金具５０の当接片６０は、太陽電池モジュール１２のフレーム２８の上壁２８Ｂに当接するようになっているが、ナット６４をボルト４０のネジ部４０Ｂに螺合させると、当該突起部７４がフレーム２８の上壁２８Ｂに食い込むようになっている。
【００６３】
また、図１０（Ｂ）では、上固定金具５０の一対の脚部６２において、当接片６０側の端面の上下方向の中央部に突起部７６がそれぞれ設けられている。図３に示されるように、上固定金具５０の当接片６０は、太陽電池モジュール１２のフレーム２８の上壁２８Ｂに当接するようになっているが、ナット６４をボルト４０のネジ部４０Ｂに螺合させると、上固定金具５０は、太陽電池モジュール１４から離間させる方向（矢印Ａ方向）、つまり、太陽電池モジュール１４から離間する方向へスライドするようになっているが、このとき、当該突起部７６がフレーム２８の周壁２８Ａに食い込むようになっている。
【００６４】
一般に、図示はしないが、太陽電池モジュールは絶縁膜によって被覆されている。このため、固定金具を介して太陽電池モジュールを架台に固定させた状態で、図１０（Ａ）、（Ｂ）に示す突起部７４、７６によって当該絶縁膜を貫通させることによって、太陽電池モジュールと固定金具とが導通可能とされる。そして、当該固定金具を介して、太陽電池モジュール、下受金具４４及び架台が導通可能とされ、結果的に当該太陽電池モジュールを接地させることができる。
【００６５】
さらにまた、図１１（Ａ）、（Ｂ）に示されるように、下受金具４４の上面４４Ｂに、太陽電池モジュール１４のフレーム３０の下壁３０Ｃに食い付く爪状の規制部７８が設けられても良い。これによると、太陽電池モジュール１２を下受金具４４に載置させた状態で、規制部７８が太陽電池モジュール１２のフレーム３０の下壁３０Ｃに食い付くことで、当該太陽電池モジュール１２の移動を規制することができると共に、太陽電池モジュール１２を接地させることができる。
【００６６】
以上、本発明を実施するための一形態として一実施例を用いて説明したが、本発明はこうした一実施例に何ら限定されるものではなく、本発明の要旨を逸脱しない範囲内において、上述した一実施例に種々の変形及び置換を加えることができる。
【符号の説明】
【００６７】
１０    太陽電池モジュール固定構造
１２    太陽電池モジュール
１４    太陽電池モジュール
２４    端部（太陽電池モジュールの端部）
２６    端部（太陽電池モジュールの端部）
２８    フレーム（太陽電池モジュールの端部）
２８Ｂ  上壁（太陽電池モジュールの端部の上面）
２８Ｃ  下壁（太陽電池モジュールの下面）
３０    フレーム（太陽電池モジュールの端部）
３０Ｂ  上壁（太陽電池モジュールの端部の上面）
３０Ｃ  下壁（太陽電池モジュールの下面）
４０    ボルト（締結部材）
４４    下受金具
４６    固定金具
４８    下固定金具
５０    上固定金具
６４    ナット（締結部材）
６６    傾斜面（スライド手段、第１傾斜面）
６８    傾斜面（スライド手段、第１傾斜面）
７０    傾斜面（スライド手段、第２傾斜面）
７２    傾斜面（スライド手段、第２傾斜面）
７４    突起部
７６    突起部
７８    規制部
【図１】
0006550011.tif 000002
【図２】
0006550011.tif 000003
【図３】
0006550011.tif 000004
【図４】
0006550011.tif 000005
【図５】
0006550011.tif 000006
【図６】
0006550011.tif 000007
【図７】
0006550011.tif 000008
【図８】
0006550011.tif 000009
【図９】
0006550011.tif 000010
【図１０】
0006550011.tif 000011
【図１１】
0006550011.tif 000012